(57)【特許請求の範囲】
【請求項１】
撮像装置から画像を入力する第１の入力部と、
前記撮像装置以外から画像を入力する第２の入力部と、
前記第１の入力部または前記第２の入力部から入力した画像を出力する画像出力部と、
前記画像出力部が画像を出力中に前記第１の入力部または前記第２の入力部から新たな画像が入力されたとき、前記画像出力部に前記新たな画像を出力させる画像出力制御部とを有すること
を特徴とする画像受信装置。
【請求項２】
前記第２の入力部は、記憶媒体から画像を入力すること
を特徴とする請求項１に記載の画像受信装置。
【請求項３】
前記画像出力制御部は、前記画像受信装置の電源がオンしたとき、前記第１の入力部または前記第２の入力部に画像が入力される前は前回電源がオフしたときに表示されていた画像またはその画像を含むフォルダの画像を表示すること
を特徴とする請求項１または請求項２に記載の画像受信装置。
【請求項４】
前記画像出力部は、前記第２の入力部が前記記憶媒体から入力した画像を出力し、
前記画像出力制御部は、最新の日時に入力された画像または最新の日時に入力された画像を含むフォルダの画像を前記画像出力部に出力させること
を特徴とする請求項２または請求項３に記載の画像受信装置。
【請求項５】
前記画像出力制御部は、最新の日時に入力された画像がそれぞれ別のフォルダに複数あるときには前記フォルダのうち最後に使用されたフォルダの画像を前記画像出力部に出力させること
を特徴とする請求項４に記載の画像受信装置。
【請求項６】
インターネット接続部と、
前記インターネット接続部から入力された画像を記憶する記憶部とを更に有すること
を特徴とする請求項１から請求項５のいずれか一項に記載の画像受信装置。
【請求項７】
放送を受信するチューナを更に有し、
前記記憶部は、前記チューナから入力された画像を記憶すること
を特徴とする請求項６に記載の画像受信装置。
【請求項８】
表示装置を更に有し、
前記画像出力部は、前記表示装置に画像を出力すること
を特徴とする請求項１から請求項７のいずれか一項に記載の画像受信装置。
【請求項９】
撮像装置と、請求項１から請求項８のいずれか一項に記載の画像受信装置とから構成される画像撮影システムであって、
前記撮像装置は、
被写体を撮像する撮像部と、
前記撮像部により撮像された画像を送信する送信部とを有し、
前記画像受信装置は、
前記第１の入力部は、前記送信部により送信される画像を入力すること
を特徴とする画像撮影システム。
【発明の詳細な説明】
【技術分野】
【０００１】
本発明は、画像受信装置及び画像撮影システムに関する。
【背景技術】
【０００２】
従来、複数の画像を順に表示するスライドショーが知られており、カメラで撮影した画像をパンやズームしながら順に表示して鑑賞することができる。スライドショーは、装置内のメモリなどに記憶された画像を順に読み出して表示したり、順序を入れ替えて、ランダムに表示したりする。
例えば、特許文献１には、テレビ受像器にデジタルカメラを接続して、撮影した画像を鑑賞する技術が記載されている。
【特許文献１】特開２０００−３５４２２７号公報
【発明の開示】
【発明が解決しようとする課題】
【０００３】
従来技術では、新たに画像を撮影して追加された場合や、新たに画像を有する記憶媒体が装着された場合でも、予め選択した装置内部の固有のフォルダ内の画像を順に読み出して表示するだけであった。
使用者が最も見たい最新の撮影画像や新たに装着した記憶媒体に記憶されている画像を簡単に見ることができないという課題があった。
【０００４】
本発明の目的は、使用者が見たいと思う画像を優先的に出力することが可能な画像受信装置及び画像撮影システムを提供することである。
【課題を解決するための手段】
【０００５】
本発明に係る画像受信装置は、撮像装置から画像を入力する第１の入力部と、前記撮像装置以外から画像を入力する第２の入力部と、前記第１の入力部または前記第２の入力部から入力した画像を出力する画像出力部と、前記画像出力部が画像を出力中に前記第１の入力部または前記第２の入力部から新たな画像が入力されたとき、前記画像出力部に前記新たな画像を出力させる画像出力制御部とを有することを特徴とする。
【０００６】
本発明に係る画像撮影システムは、撮像装置と、請求項１から請求項８のいずれか一項に記載の画像受信装置とから構成される画像撮影システムであって、前記撮像装置は、被写体を撮像する撮像部と、前記撮像部により撮像された画像を送信する送信部とを有し、前記画像受信装置は、前記第１の入力部は、前記送信部により送信される画像を入力することを特徴とする。
【発明の効果】
【０００９】
本発明によれば、使用者が見たいと思う画像を優先的に出力することが可能な画像受信装置及び画像撮影システムを提供することができる。
【発明を実施するための最良の形態】
【００１０】
以下、図面を参照して本発明に係る画像再生装置について説明する。
（第１の実施形態）
第１の実施形態に係る画像再生装置１０１のブロック図を図１に示す。画像再生装置１０１は、画像送信部１０２と画像受信部１０３とで構成される。画像送信部１０２はカメラ機能を有しており、撮影した画像もしくは撮影済みの画像を画像受信部１０３に無線で送信し、画像受信部１０３は、受信した画像もしくは受信済みの画像を順番に表示装置１３１に出力する。また、画像を表示装置１３１に出力する際に、画像に適した音楽を再生しながら、スライドショーとして鑑賞することができる。
【００１１】
先ず、画像送信部１０２の構成を説明する。画像送信部１０２は、ＣＰＵ（演算処理部）１０４に予め格納されたプログラムによって動作する。ＣＰＵ１０４は、ＣＰＵ１０４自身のＩ／Ｏ（入出力部）やシステムバス１０５によって画像送信部１０２の全体を制御する。
レンズ１０６から入射した光は撮像素子１０７に結像され、Ａ／Ｄ変換部１０８でデジタル信号に変換されてバッファメモリ１０９に記憶される。
【００１２】
バッファメモリ１０９に記憶された画像は、システムバス１０５を介して、ＣＰＵ１０４が読出し、メモリカードＩＦ（インターフェース）１１０を介してメモリカード１１１に記憶できる。或いは、ＣＰＵ１０４の指示によって、ＤＳＰ（デジタル信号処理部）１１２で色補正や縮小などの画像処理を行って、メモリカード１１１に記憶する。
また、ＣＰＵ１０４は、バッファメモリ１０９や、メモリカード１１１に記憶されている画像を読み出して、表示部１１３に送り、液晶モニタ１１４に表示する。
【００１３】
操作パネル１１５は、画像送信部１０２の設定（例えば、電源のオンオフや撮影条件の設定，送信画像のフォルダ選択など）を行う。また、レリーズ１１６は、画像受信部１０３からの遠隔操作によるシャッタ操作を行うためのものである。
音声は、マイク１１７から入力し、音声入力部１１８でデジタルデータに変換され、ＣＰＵ１０４によってバッファメモリ１０９やメモリカード１１１に画像データと共に記憶される。また、メモリカード１１１によって、音声ファイルや撮影済みの画像ファイルを入力することもできる。さらに、ＣＰＵ１０４は、送受信部１１９およびアンテナ１２０を用いて、画像受信部１０３と画像データ，音声データ，制御データ（画像ファイル名やサイズ、音楽ファイル名やサイズ、カメラのパン方向、終了の連絡など）などを無線通信する。
【００１４】
次に、画像受信部１０３の構成について説明する。画像受信部１０３は、ＣＰＵ（演算処理部）１２１に予め格納されたプログラムによって動作する。ＣＰＵ１２１は、ＣＰＵ１２１自身のＩ／Ｏ（入出力部）やシステムバス１２２によって接続された画像受信部１０３の全体を制御する。画像受信部１０３は、電源のオンオフ，画像受信部１０３の設定などは操作パネル１２３や、赤外線送受信部１３４に接続される赤外線リモコン（図示せず）で操作を行う。また、ＣＰＵ１２１は、送受信部１２５およびアンテナ１２４を介して、画像送信部１０２と無線通信し、画像データや音声データの受信および制御データ（出力画像の種類、画素数、バッファメモリ１２６の容量、終了要求など）の送受信を行う。ＣＰＵ１２１は、画像送信部１０２から送られてくる画像データや音声データをバッファメモリ１２６や、メモリカードＩＦ１２７あるいは１２９を介して接続されるメモリカード１２８ａ，１２８ｂ，１２８ｃなどに記憶する。
【００１５】
バッファメモリ１２６に記憶された画像データは、画像出力部１３０で、表示装置１３１の表示解像度に合った画素数の画像出力信号に変換されて、表示装置１３１に表示される。尚、本実施形態では、表示装置１３１は、画像受信部１０３に内蔵されているが、画像出力部１３０の画像信号を出力する端子が設け、外付けにしても構わない。
一方、メモリカード１２８ａ，１２８ｂ，１２８ｃに記憶された音声データは、ＣＰＵ１２１によって読み出され、音声出力部１３２でアナログの音声信号に変換され、スピーカ（ＳＰ）１３３に出力される。尚、音声信号は、音楽などオーディオ信号でも構わない。或いは、画像出力部１３０で、画像信号に音声信号を多重して、外部に接続されたテレビなどに出力するようにしても構わない。
【００１６】
さらに、画像受信部１０３は、印刷装置１３５を内蔵しており、受信した画像をそのまま印刷したり、バッファメモリ１２６やメモリカード１２８ａ，１２８ｂ，１２８ｃに記憶された画像を印刷できる。
次に、画像再生装置１０１の動作について説明する。尚、画像再生装置１０１は、ＥＸＩＦ規格（ＪＥＩＤＡによって標準化されているデジタルカメラ用画像ファイル規格）に準拠し、各画像には、撮影日時などの付加情報も同時に記憶される。また、音楽データは、例えば、ＭＰ３，ＡＡＣおよびＷＡＶなどの各種のフォーマットが使用され、送信されるフォーマットに応じた再生処理が行われる。
【００１７】
以下、画像再生装置１０１の動作について、図２のフローチャートを用いて、画像送信部１０２の処理から説明する。
（画像送信部：Ｓ２０１）操作パネル１１５を操作して、画像送信部１０２の電源をオンする。
（画像送信部：Ｓ２０２）レンズ１０６を介して撮像素子１０７に結像される被写体画像をＡ／Ｄ変換部１０８でデジタル信号に変換してバッファメモリ１０９に記憶できるように、撮影準備を整える。
（画像送信部：Ｓ２０３）操作パネル１１５のレリーズ１１６が押されて、新たに画像が撮影されたか否かを判別する。新たに画像が撮影された場合は、ステップＳ２０４に進む。新たに画像が撮影されなかった場合は、ステップＳ２０５に進む。
（画像送信部：Ｓ２０４）ＣＰＵ１０４は、新たに撮影された画像データを、バッファメモリ１０９から読み出して、送受信部１１９で無線に変調し、アンテナ１２０を介して画像受信部１０３に送信する。
（画像送信部：Ｓ２０５）操作パネル１１５によるユーザの終了操作があったか否かを判別する。終了操作があった場合はステップＳ２０６へ進み、終了操作がなかった場合はステップＳ２０３に戻る。
（画像送信部：Ｓ２０６）ユーザによる終了操作があった場合は、一連の動作を終了し、電源を切る。
【００１８】
次に、画像受信部１０３の処理について説明する。
尚、画像受信部１０３の記憶媒体の１つであるメモリカードＩＦ１２７には、メモリカード１２８ａが接続されている。同様に、メモリカードＩＦ１２９には、メモリカード１２８ｃが接続されている。メモリカード１２８ａおよびメモリカード１２８ｃ内の画像ファイルの様子を図３に示す。メモリカード１２８ａには、同図（ａ）に示すように、複数のフォルダＦＬ１およびＦＬ２の最終アクセス日時、画像ファイルＩＭ１からＩＭ６の撮影日時や最終アクセス日時が記憶されている（括弧内は日付，時間）。同様に、メモリカード１２８ｃには、同図（ｂ）に示すように、フォルダＦＬ１１に、画像ファイルＩＭ１１からＩＭ１３が撮影日時や最終アクセス日時と共に記憶されている。メモリカード１２８ａとメモリカード１２８ｃは規格が異なっている。
（画像受信部：Ｓ２５１）操作パネル１２３を操作して、画像受信部１０３の電源をオンする。
（画像受信部：Ｓ２５２）画像送信部１０２から無線で送られてくる画像を、アンテナ１２４および送受信部１２５を介して受信する準備を整える。
（画像受信部：Ｓ２５３）前回のスライドショーで表示した画像が格納されている記憶媒体があるか否かを判別する。該当する記録媒体がある場合はステップＳ２５４に進み、ない場合はステップＳ２５５に進む。尚、前回の記録媒体が接続されているか否かは、例えば、メモリカード１２８ａから１２８ｃが接続される毎に、ＣＰＵ１２１が、システムバス１２２およびメモリカードＩＦ１２７またはメモリカードＩＦ１２９を介して、メモリカード１２８ａから１２８ｃのシリアル番号をシステムメモリ（非図示）などに記憶しておくことで、判別することができる。
（画像受信部：Ｓ２５４）前回のスライドショーで表示した画像が格納されている記憶媒体がある場合は、その記録媒体の前回表示していた画像のあるフォルダを選択する。さらに、前回、最後に表示した画像を選択する。尚、前回のフォルダおよび最後に表示した画像の判別は、メモリカード１２８ａから１２８ｃの画像ファイル毎に付加されている最終アクセス日時の情報から判別することができる。例えば、図３（ａ）の場合、メモリカード１２８ａのフォルダＦＬ１が前回のスライドショーで表示されたフォルダであるとした時、画像ファイルＩＭ１の撮影日時は５／３の１４：０２で最新の画像であるが、最終アクセス日時は８／３の１２：３０である。これに対して、画像ファイルＩＭ２の最終アクセス日時は８／３の１２：３１なので、画像ファイルＩＭ２が最後にスライドショーで表示された画像であることがわかる。
（画像受信部：Ｓ２５５）前回のスライドショーで表示した画像が格納されている記憶媒体がない場合は、接続されている記憶媒体の中で、撮影日時が最新の画像を格納するフォルダを有する記憶媒体を選択する。尚、この際に、同一日時の画像を含むフォルダが複数の記憶媒体に存在する場合は、最後にアクセスされた記憶媒体を選択する。例えば、図３（ａ）および（ｂ）において、メモリカード１２８ａのフォルダＦＬ１の画像ファイルＩＭ１の撮影日時は５／５の１４：０２で最新の画像であるが、メモリカード１２８ｃのフォルダＦＬ１１の画像ファイルＩＭ１１の撮影日時も５／５の１４：０２で同じである。このような場合、メモリカード１２８ｃがメモリカード１２８ａよりも後で画像受信部１０３に接続された場合は、メモリカード１２８ｃを優先して選択する。
（画像受信部：Ｓ２５６）ステップＳ２５５で選択された記憶媒体の中から、撮影日時が最新の画像を格納するフォルダを選択する。尚、１つの記憶媒体の中に同一日時の画像を含むフォルダがある場合は、メモリアドレスの早い方から選択するようにしてもよいし、フォルダ内のファイルの撮影日時の統計処理によって、撮影日時の平均値が最新のフォルダを選択するようにしてもよい。
（画像受信部：Ｓ２５７）ステップＳ２５６で選択したフォルダから撮影日時が最新の画像を選択する。
（画像受信部：Ｓ２５８）ステップＳ２５４またはステップＳ２５７で選択された画像を格納するフォルダに対応する音楽データを準備する。例えば、選択されているフォルダが結婚式関係の画像を格納するフォルダの場合は、結婚式に適した音楽データを選択する。尚、選択する音楽データは、メモリカード１２８ａから１２８ｃなどに記憶された音楽データから、使用者が予め選択しておいても構わないし、ＣＰＵ１２１が任意に選択するようにしても構わない。選択された音楽データは、スライドショーを行っている間、音声出力部１３２を介して、スピーカ１３３から再生される。
（画像受信部：Ｓ２５９）ステップＳ２５４またはステップＳ２５７で選択された画像をスライドショーで表示する。
（画像受信部：Ｓ２６０）スライドショーで表示中に、ＣＰＵ１２１はアンテナ１２４および送受信部１２５を介して、画像送信部１０２から画像を受信したか否かを調べる。新たに画像を受信した場合は、ステップＳ２６１に進み、受信していない場合は、ステップＳ２６２に進む。
（画像受信部：Ｓ２６１）新たに画像を受信した場合は、新たに受信した画像を表示する。尚、この際に、表示中の画像が所定の表示時間だけ表示後に、新たに受信した画像を表示してもよいし、表示中の画像に割り込んで、受信後、直ぐに表示するようにしても構わない。
（画像受信部：Ｓ２６２）ユーザーが操作パネル１２３を操作して、スライドショーの終了操作を行ったか否かを判別する。終了操作が行われた場合は、ステップＳ２６３に進む。終了操作が行われていない場合は、ステップＳ２６４に進む。
（画像受信部：Ｓ２６３）終了操作が行われた場合は、スライドショーを終了する。電源が切られた場合も同じである。尚、この際に、最後に表示した画像およびその画像を格納しているフォルダのアクセス記録が、メモリカード１２８ａから１２８ｃなどに記憶される。同時に、最後に接続されていたメモリカード１２８ａから１２８ｃのシリアル番号などがＣＰＵ１２１のシステムメモリ（非図示）に記憶される。
（画像受信部：Ｓ２６４）ステップＳ２６２で、ユーザーによる終了操作が行われなかった場合は、表示中の画像が選択したフォルダ内の最終画像であるか否かを判別する。最終画像であるか否かは、例えば、撮影日時の順に、最新の撮影画像から表示している場合は、フォルダ内の最も古い撮影日時の画像か否かを調べることで判別できる。最終画像の場合は、ステップＳ２６５に進み、最終画像ではない場合は、ステップＳ２６６に進む。
（画像受信部：Ｓ２６５）選択したフォルダ内の画像を全て表示し終えた場合、スライドショーを開始した時に最初に表示した画像を選択する。
（画像受信部：Ｓ２６６）選択したフォルダ内の画像を全て表示し終えていない場合、次に表示する画像を選択する。例えば、表示中の画像の次に撮影日時の古い画像を選択する。
【００１９】
このように、ＣＰＵ１２１に記憶されたプログラムによって、選択されたフォルダに格納されている画像は、画像出力部１３０を介して、表示装置１３１に順に表示される。
特に、本実施形態の場合は、スライドショーで画像を表示中に、画像送信部１０２から新たな撮影画像が送られてきた場合は、スライドショーを停止することなく、新たな撮影画像を挿入して優先的に表示することができる。
【００２０】
また、前回、電源を切る前に、スライドショーで最後に表示した画像からスライドショーを開始することによって、何度も同じ画像を最初から観ることなく、前回のスライドショーの続きから鑑賞することができる。
さらに、複数のメモリカードなどの記憶媒体が存在する場合は、最新の画像を含むフォルダを優先的に選択するので、常に、最新の画像をスライドショー表示することができる。また、同一の日時を有する画像がある場合でも、最も近い日時に接続された記憶媒体を優先して選択するので、ユーザーが観たい最新の画像を表示することができる。
【００２１】
（第２の実施形態）
次に、第２の実施形態に係る画像再生装置１５１のブロック図を図４に示す。画像再生装置１５１は、図１の第１の実施形態の画像受信部１０３とほとんど同じ構成であるが、アンテナ１２４および送受信部１２５がなく、新たに、テレビ放送受信部１５２が設けられている。尚、図１と同符号のものは、同じものなので、説明を省略する。
【００２２】
テレビ放送受信部１５２は、操作パネル１２３で選択したチャネルのテレビ放送を受信することができ、ＣＰＵ１２１の指令によって、受信した画像を画像出力部１３０を介して表示装置１３１に表示することができる。つまり、画像再生装置１５１は、一般的なテレビ受像機と同じ機能を有している。
ネットワークＩＦ１３６は、第１の実施形態のアンテナ１２４および送受信部１２５を用いて画像送信部１０２と無線通信する代わりに、インターネットを介して画像を送受信する。例えば、ネットワークＩＦ１３６と同様にネットワークＩＦを有する画像送信部１０２に相当する装置、あるいは、ネットワーク上のサーバなどから不定期に画像が画像再生装置１５１に送信されるシステムである。
【００２３】
本実施形態に係る画像再生装置１５１は、スライドショーで表示中に、ネットワークＩＦ１３６を介して、新たに画像を受信した場合に、スライドショーで表示中の画像に受信した画像を挿入して表示装置１３１に表示することができる。或いは、スライドショーで表示中に、テレビ放送受信部１５２が、例えば、データ放送などで新たに画像を受信した場合に、スライドショーで表示中の画像に受信した画像を挿入して表示装置１３１に表示することができる。
【００２４】
以下、画像再生装置１５１の動作について、図５のフローチャートを用いて詳しく説明する。尚、第２の実施形態の画像再生装置１５１は、前回表示した画像のあるフォルダを優先して選択し、選択したフォルダ内で撮影日時が最新の画像からスライドショーで表示するようになっており、第１の実施形態の図２の画像受信部１０３のフローチャートとは少し異なる。
（画像再生装置：Ｓ３５１）操作パネル１２３を操作して、画像再生装置１５１の電源をオンする。
（画像再生装置：Ｓ３５２）図２のステップＳ２５３と同様に、前回のスライドショーで表示した画像が格納されている記憶媒体があるか否かを判別する。該当する記録媒体がある場合はステップＳ３５３に進み、ない場合はステップＳ３５４に進む。
（画像再生装置：Ｓ３５３）図２のステップＳ２５４とほぼ同じ処理を行うが、前回表示していた画像のあるフォルダの選択までを行い、ステップＳ３５６に進む。
（画像再生装置：Ｓ３５４）図２のステップＳ２５５と同様に、接続されている記憶媒体の中で、撮影日時が最新の画像を格納するフォルダを有する記憶媒体を選択する。
（画像再生装置：Ｓ３５５）図２のステップＳ２５６と同様に、ステップＳ３５４で選択された記憶媒体の中から、撮影日時が最新の画像を格納するフォルダを選択する。
（画像再生装置：Ｓ３５６）図２のステップＳ２５８と同様に、音楽データを準備する。
（画像再生装置：Ｓ３５７）ステップＳ３５３およびＳ３５５で選択されたフォルダの中から撮影日時が最新の画像を選択する。
（画像再生装置：Ｓ３５８）図２のステップＳ２５９と同様に、選択した画像をスライドショーで表示する。
（画像再生装置：Ｓ３５９）スライドショーで表示中に、ＣＰＵ１２１はネットワークＩＦ１３６を介して、予め指定されたインターネット上の送信装置あるいはサーバなどから画像を受信したか否かを調べる。新たに画像を受信した場合は、ステップＳ３６０に進み、受信していない場合は、ステップＳ３６１に進む。或いは、ＣＰＵ１２１はテレビ放送受信部１５２が予め設定されたデータ放送などから、新たに画像を受信したか否かを調べる。
（画像再生装置：Ｓ３６０）図２のステップＳ２６１と同様に、新たに受信した画像をスライドショーで表示する。
（画像再生装置：Ｓ３６１）ユーザーが操作パネル１２３を操作して、スライドショーの終了操作を行ったか否かを判別する。終了操作が行われた場合は、ステップＳ３６２に進む。終了操作が行われていない場合は、ステップＳ３６３に進む。
（画像再生装置：Ｓ３６２）図２のステップＳ２６３と同様に、スライドショーを終了する。
（画像再生装置：Ｓ３６３）図２のステップＳ２６４と同様に、表示中の画像が選択したフォルダ内の最終画像であるか否かを判別する。最終画像の場合は、ステップＳ３５７に戻って、再び、最新の撮影日時の画像を選択する。最終画像ではない場合は、ステップＳ３６４に進む。
（画像再生装置：Ｓ３６２）図２のステップＳ２６６と同様に、次に表示する画像を選択する。
【００２５】
このように、ＣＰＵ１２１に記憶されたプログラムによって、選択されたフォルダに格納されている画像は、画像出力部１３０を介して、表示装置１３１に順に表示される。尚、一連のスライドショーは、ユーザーが終了操作を行うまで、繰り返し行われる。
特に、本実施形態の場合は、スライドショーで画像を表示中に、ネットワークＩＦ１３６を介してインターネットから新たな画像が送られてきた場合は、スライドショーを停止することなく、新たに受信した画像を挿入して表示することができる。
【００２６】
尚、本実施形態の画像再生装置１５１は、ネットワークＩＦ１３６およびテレビ放送受信部１５２を有する構成にしたが、いずれか１つ或いは両方がない構成でもよい。その場合でも、前回、電源を切る前に、スライドショーで最後に表示した画像を格納するフォルダを選択して、そのフォルダに格納されている撮影日時が最新の画像からスライドショーを開始するので、ユーザーが最も観たいと思われる画像が格納されているフォルダの画像を優先的に鑑賞することができる。
【００２７】
（第３の実施形態）
次に、第３の実施形態に係る画像再生装置２５１のブロック図を図６に示す。画像再生装置２５１は、図１の第１の実施形態の画像送信部１０２とほぼ同じ構成であるが、アンテナ１２０および送受信部１１９がなく、メモリカードＩＦ１１０と同じ機能を有するメモリカードＩＦ２５２が新たに設けられている。尚、図１と同符号のものは、説明を省略する。
【００２８】
画像再生装置２５１は、メモリカードＩＦ１１０あるいは２５２に接続されるメモリカード１２８ａあるいは１２８ｃに記憶されている画像をスライドショーで表示する。さらに、スライドショーで画像を表示中に、レンズ１０６を介して入射される被写体を撮像素子１０７で新たに撮影した場合、スライドショーを停止することなく、スライドショーで表示中の画像に割り込んで、新たに撮影した画像を表示する。
【００２９】
また、画像再生装置２５１は、カメラにスライドショー表示をする機能を設けたもので、例えば、デジタルカメラや、ビデオカメラ、カメラ付き携帯電話などに適用することができる。
以下、画像再生装置２５１の動作について、図７のフローチャートを用いて詳しく説明する。
（画像再生装置：Ｓ４５１）操作パネル１１５を操作して、画像再生装置２５１の電源をオンする。
（画像再生装置：Ｓ４５２）新たな画像を撮影する準備を整える。つまり、操作パネル１１５のレリーズ１１６が操作された場合に、撮像素子１０７で電気信号に変換された撮影画像は、Ａ／Ｄ変換部１０８でデジタルの画像データに変換され、バッファメモリ１０９に記憶する準備を行う。
（画像再生装置：Ｓ４５３）前回のスライドショーで表示した画像が格納されている記憶媒体があるか否かを判別する。例えば、メモリカードＩＦ１１０に接続されているメモリカード１２８ａまたはメモリカードＩＦ２５２に接続されているメモリカード１２８ｃのいずれかが前回のスライドショーで表示した画像が格納されている記憶媒体があるか否かを判別する。尚、判別方法は、第１の実施形態のステップＳ２５３と同様である。
【００３０】
以下、ステップＳ４５４からステップＳ４５８までの処理は、第２の実施形態の図５に示すフローチャートのステップＳ３５３からステップＳ３５７までの処理と同じである。
（画像再生装置：Ｓ４５９）ＣＰＵ１０５は、ステップＳ４５８で選択された画像をメモリカードＩＦ１１０に接続されているメモリカード１２８ａまたはメモリカードＩＦ２５２に接続されているメモリカード１２８ｃから読み出す。読み出された画像は、表示部１１３を介して液晶モニタ１１４に所定の時間だけスライドショーで表示する。
（画像再生装置：Ｓ４６０）スライドショーで画像を表示中に、ＣＰＵ１０５は新たに画像が撮影されたか否かを調べる。新たに画像が撮影された場合は、ステップＳ４６１に進み、撮影されていない場合は、ステップＳ４６２に進む。
（画像再生装置：Ｓ４６１）新たに画像が撮影された場合は、バッファメモリ１０９から撮影された画像を読み出して、表示部１１３を介して液晶モニタ１１４に所定の時間だけスライドショーで表示する。
【００３１】
以下、ステップＳ４６２からステップＳ４６５までの処理は、第２の実施形態の図５に示すフローチャートのステップＳ３６１からステップＳ３６４までの処理と同じである。
このように、ＣＰＵ１０４に記憶されたプログラムによって、選択されたフォルダに格納されている画像は、表示部１１３を介して、液晶モニタ１１４に順に表示される。尚、一連のスライドショーは、ユーザーが終了操作を行うまで、繰り返し行われる。
【００３２】
特に、本実施形態では、スライドショーで画像を表示中に、新たに画像が撮影された場合、スライドショーを停止することなく、新たに撮影した画像を挿入して表示することができる。
また、前回、電源を切る前に、スライドショーで最後に表示した画像を格納するフォルダを選択して、そのフォルダに格納されている撮影日時が最新の画像からスライドショーを開始するので、ユーザーが最も観たいと思われる画像が格納されているフォルダの画像を優先的に鑑賞することができる。
【００３３】
尚、本実施形態では、液晶モニタ１１４にスライドショーの画像を表示する構成にしたが、第１および第２の実施形態における画像出力部１３０を画像再生装置２５１に設けて、外部に画像を出力するようにしても構わない。
以上、各実施形態において本発明に係る画像再生装置を説明してきたが、上記の実施形態およびその変形例は発明の一例に過ぎず、本発明はこれに限定されるものではない。本発明を逸脱しない範囲で変形可能であることは明らかである。
【図面の簡単な説明】
【００３４】
【図１】第１の実施形態に係る画像再生装置のブロック図である。
【図２】第１の実施形態に係る画像再生装置のフローチャートである。
【図３】メモリカード１２８ａおよび１２８ｃの記憶内容を説明する説明図である。
【図４】第２の実施形態に係る画像再生装置のブロック図である。
【図５】第２の実施形態に係る画像再生装置のフローチャートである。
【図６】第３の実施形態に係る画像再生装置のブロック図である。
【図７】第３の実施形態に係る画像再生装置のフローチャートである。
【符号の説明】
【００３５】
１０１，１５１，２５１・・・画像再生装置
１０２・・・画像送信部            １０３・・・画像受信部
１０４，１２１・・・ＣＰＵ        １０６・・・レンズ
１０７・・・撮像素子              １０９・・・バッファメモリ
１１０，１２７，１２９，２５２・・・メモリカードＩＦ
１１１，１２８ａ，１２８ｂ，１２８ｃ・・・メモリカード
１０９・・・バッファメモリ        １１４・・・液晶モニタ
１１５，１２３・・・操作パネル    １１９，１２５・・・送受信部
１３０・・・画像出力部            １３１・・・表示装置
１３６・・・ネットワークＩＦ      １５２・・・テレビ放送受信部                                                                               
【図１】
0004826334.tif 000002
【図２】
0004826334.tif 000003
【図３】
0004826334.tif 000004
【図４】
0004826334.tif 000005
【図５】
0004826334.tif 000006
【図６】
0004826334.tif 000007
【図７】
0004826334.tif 000008